(57)【要約】【課題】  ディスク型情報保存媒体のためのアドレス情報記録装置、記録方法及びそのディスク型情報保存媒体を提供する。【解決手段】  第１記録単位ブロックを利用してデータを記録する第１記録領域と、第２記録単位ブロックを利用してデータを記録する第２記録領域とを含み、前記第１記録単位ブロックに対応する第１アドレス情報はｎ（ｎは、１以上の整数）個のアドレスブロックを含み、前記第２記録単位ブロックに対応する第２アドレス情報はｍ（ｍは、１以上の整数）個のアドレスブロックを含み、前記各アドレスブロックのデータ構造は同じであることを特徴とするディスク型情報保存媒体である。本発明によれば、ディスク型情報保存媒体に異なる種類の記録単位ブロックを利用してデータが記録されても、異なる種類の記録単位ブロックにそれぞれ対応するアドレス情報の構造を互いに同じにすることによって、単一の方法を利用してアドレス情報を再生しうる。【選択図】      図２
2005135577.tif 000002
【特許請求の範囲】
【請求項１】
ディスク型情報保存媒体において、
第１記録単位ブロックを利用してデータを記録する第１記録領域と、
第２記録単位ブロックを利用してデータを記録する第２記録領域とを含み、
前記第１記録単位ブロックに対応する第１アドレス情報は、ｎ（ｎは、１以上の整数）個のアドレスブロックを含み、前記第２記録単位ブロックに対応する第２アドレス情報は、ｍ（ｍは、１以上の整数）個のアドレスブロックを含み、前記各アドレスブロックのデータ構造は同じであることを特徴とする情報保存媒体。
【請求項２】
前記各アドレスブロックは、所定長のＡＤＩＰ（アドレスインプレグルーブ）情報と所定長の保留ウォッブル部分とを含むことを特徴とする請求項１に記載の情報保存媒体。
【請求項３】
前記アドレス情報は、所定方式で変調された情報であってグルーブトラックにウォッブリングされたことを特徴とする請求項１に記載の情報保存媒体。
【請求項４】
前記ｍは２ｎであることを特徴とする請求項１に記載の情報保存媒体。
【請求項５】
前記第１記録単位ブロックに含まれたリンク部分の長さと第２記録単位ブロックに含まれたリンク部分の長さとの比は、第１記録単位ブロックに含まれた物理的クラスタの長さと第２記録単位ブロックに含まれた物理的クラスタの長さとの比と同じであることを特徴とする請求項１に記載の情報保存媒体。
【請求項６】
前記第１記録単位ブロックに含まれたリンク部分の長さと前記第２記録単位ブロックに含まれたリンク部分の長さとの比は１：２であることを特徴とする請求項５に記載の情報保存媒体。
【請求項７】
第１記録単位ブロックを利用してデータを記録する第１記録領域及び第２記録単位ブロックを利用してデータを記録する第２記録領域を含むディスク型情報保存媒体にアドレス情報を記録する装置において、
前記第１記録単位ブロックに対応する第１アドレス情報及び前記第２記録単位ブロックに対応する第２アドレス情報を生成するアドレス情報生成部と、
前記第１アドレス情報及び前記第２アドレス情報を所定方式によって変調する変調部と、
前記変調された前記第１アドレス情報及び前記第２アドレス情報をそれぞれ前記第１記録領域及び前記第２記録領域に記録するアドレス情報記録部とを含み、
前記第１アドレス情報は、ｎ（ｎは、１以上の整数）個のアドレスブロックを含み、前記第２アドレス情報は、ｍ（ｍは、１以上の整数）個のアドレスブロックを含み、前記各アドレスブロックのデータ構造は同じであることを特徴とする装置。
【請求項８】
前記各アドレスブロックは、所定長のＡＤＩＰ情報と所定長の保留ウォッブル部分とを含むことを特徴とする請求項７に記載の装置。
【請求項９】
前記アドレス情報は、所定方式で変調された情報であってグルーブトラックにウォッブリングされたことを特徴とする請求項７に記載の装置。
【請求項１０】
前記ｍは２ｎであることを特徴とする請求項７に記載の装置。
【請求項１１】
前記第１記録単位ブロックに含まれたリンク部分の長さと第２記録単位ブロックに含まれたリンク部分の長さとの比は、第１記録単位ブロックに含まれた物理的クラスタの長さと第２記録単位ブロックに含まれた物理的クラスタの長さとの比と同じであることを特徴とする請求項７に記載の装置。
【請求項１２】
前記第１記録単位ブロックに含まれたリンク部分の長さと前記第２記録単位ブロックに含まれたリンク部分の長さとの比は１：２であることを特徴とする請求項１１に記載の装置。
【請求項１３】
第１記録単位ブロックを利用してデータを記録する第１記録領域及び第２記録単位ブロックを利用してデータを記録する第２記録領域を含むディスク型情報保存媒体にアドレス情報を記録する方法において、
前記第１記録単位ブロックに対応する第１アドレス情報及び前記第２記録単位ブロックに対応する第２アドレス情報を生成する段階と、
前記第１アドレス情報及び前記第２アドレス情報を所定方式によって変調する段階と、
前記変調された前記第１アドレス情報及び前記第２アドレス情報をそれぞれ前記第１記録領域及び前記第２記録領域に記録する段階とを含み、
前記第１アドレス情報は、ｎ（ｎは、１以上の整数）個のアドレスブロックを含み、前記第２アドレス情報は、ｍ（ｍは、１以上の整数）個のアドレスブロックを含み、前記各アドレスブロックのデータ構造は同じであることを特徴とする方法。
【請求項１４】
前記各アドレスブロックは、所定長のＡＤＩＰ情報と所定長の保留ウォッブル部分とを含むことを特徴とする請求項１３に記載の方法。
【請求項１５】
前記アドレス情報は、所定方式で変調された情報であってグルーブトラックにウォッブリングされたことを特徴とする請求項１３に記載の方法。
【請求項１６】
前記ｍは２ｎであることを特徴とする請求項１３に記載の方法。
【請求項１７】
前記第１記録単位ブロックに含まれたリンク部分の長さと第２記録単位ブロックに含まれたリンク部分の長さとの比は、第１記録単位ブロックに含まれた物理的クラスタの長さと第２記録単位ブロックに含まれた物理的クラスタの長さとの比と同じであることを特徴とする請求項１３に記載の方法。
【請求項１８】
前記第１記録単位ブロックに含まれたリンク部分の長さと前記第２記録単位ブロックに含まれたリンク部分の長さとの比は１：２であることを特徴とする請求項１７に記載の方法。
【請求項１９】
ディスク型情報保存媒体において、
異なるサイズを有する少なくとも一つの種類の記録単位ブロックを利用してデータが記録され、
前記記録単位ブロックに対応するアドレス情報は、それぞれの記録単位ブロックのサイズに関係なく、同じデータ構造のアドレスブロックを含むことを特徴とする情報保存媒体。
【請求項２０】
異なるサイズを有する少なくとも二つの種類の記録単位ブロックを利用してデータが記録されるディスク型情報保存媒体にアドレス情報を記録する装置において、
前記記録単位ブロックに対応するアドレス情報を記録するアドレス情報記録部を含み、
前記アドレス情報は、それぞれの記録単位ブロックのサイズに関係なく、同じデータ構造のアドレスブロックを含むことを特徴とする装置。
【請求項２１】
前記それぞれの記録単位ブロックに対応するアドレス情報を生成するアドレス情報生成部をさらに含むことを特徴とする請求項２０に記載の装置。
【請求項２２】
前記アドレス情報を記録する前に前記アドレス情報を変調する変調部をさらに含むことを特徴とする請求項２０に記載の装置。
【請求項２３】
異なるサイズを有する少なくとも二つの種類の記録単位ブロックを利用してデータが記録されるディスク型情報保存媒体にアドレス情報を記録する方法において、
前記記録単位ブロックに対応するアドレス情報を記録する段階を含み、
前記アドレス情報は、それぞれの記録単位ブロックのサイズに関係なく、同じデータ構造のアドレスブロックを含むことを特徴とする方法。
【発明の詳細な説明】
【技術分野】
【０００１】
本発明はディスク型情報保存媒体に係り、さらに詳細にはディスク型情報保存媒体のためのアドレス情報記録装置、記録方法及びそのアドレス情報が記録されたディスク型情報保存媒体に関する。
【背景技術】
【０００２】
一般的に、光ディスクへのデータ記録時、光ディスクの全領域にわたって同種の基本記録単位を使用してデータを記録する。基本記録単位を記録単位ブロック（ＲＵＢ：レコーディングユニットブロック）またはエラー訂正ブロックという。
【０００３】
従来の光ディスクに適用されたエラー訂正ブロックのサイズは、３２ＫＢまたは６４ＫＢである。直径１２０ｍｍディスクの一つの記録層に約２５ＧＢのデータを保存しうる次世代ＤＶＤの登場によって、その記録線密度の増加によるエラー訂正能力の低下を挽回するためにエラー訂正ブロックのサイズを６４ＫＢのように増大させている。
【０００４】
ディスクの管理のための情報は、一般的に、ディスクの内周側または外側の領域に設けられているが、このような情報は、通常そのサイズが一つまたは小数の２ＫＢセクターだけで十分である。ドライブによる欠陥管理のための欠陥管理情報は、再起録情報保存媒体の場合、ＤＤＳ（ディスクデフィニションストラクチャ）とＤＦＬ（ディフェクトリスト）とで構成されるが、ＤＤＳの場合、欠陥発生時に代替のためのスペア領域の位置及びサイズ情報、ユーザ領域の開始及び終了を表す情報、ＤＦＬの位置情報を含んでそのサイズが一つのセクター（２ＫＢ）を超えない。そして、ＤＦＬはディスクの使用によって発生した欠陥に対して代替した情報を保存するため、初期使用時にそのサイズも一つの６４ＫＢブロックよりはるかに小さい。
【０００５】
また、一回記録情報保存媒体において、ＤＶＤの順次記録のようにディスクのユーザデータ領域を複数のＲゾーンに分けて使用し、それによる情報を内側領域に設けられた記録管理領域に保存する場合にも、ディスクの使用において、初期にはその情報の量が一つのエラー訂正ブロックを超えないだけでなく、そのサイズも２ＫＢセクターに限定されている。
【０００６】
ディスクの高密度化によって６４ＫＢのエラー訂正ブロック単位でデータを記録または再生することによって、ディスクの管理情報の記録／再生において、その情報の大きさがたとえ一つのセクターに過ぎないとしても、記録のためのブロックのサイズが６４ＫＢであるので、ドライブは残りの部分を００ｈのような値でパッディングしなければならない場合が多く発生する。また、データ再生時にその６４ＫＢブロックをいずれも再生しなければならないので、効率が劣る問題点がある。このような問題は携帯可能な小型ディスクのためのドライブにおいて、不要な電力消費を助長する。
【０００７】
また、一回記録情報保存媒体において、前記のようなディスク管理情報は、その情報のアップデートが要求される時、上書きができず、新たな領域を割り当てて記録しなければならない。これにより、そのＲＵＢのサイズによってアップデートに必要な領域はさらに多く要求されるか、または同じ領域でそのアップデート回数が減少することによって媒体使用において非効率的な問題が発生する。もちろん、ＲＵＢのサイズを減らすということは、ブロック内の同じデータの効率下ではそのエラー訂正能力の減少をもたらすので、このような点は考慮されなければならない。一般的に、ユーザデータ領域は、ブロック内のデータ比率はそのまま維持して最大限の保存空間を提供し、高密度によるエラー訂正能力の減少を挽回するためにエラー訂正ブロックのサイズを大きくすることが望ましいが、ディスク管理のための情報は、前述したような理由によってエラー訂正ブロックのサイズを大きくすることよりはエラー訂正ブロックのサイズは最大限小さくし、それによるエラー訂正能力の減少は、付加等価比率を増加させてエラー訂正能力の減少を挽回することがディスク使用にさらに効率的である。
【０００８】
前述したような背景下でディスク管理のための情報の記録／再生のためのエラー訂正ブロックＡとユーザデータの記録／再生のためのエラー訂正ブロックＢ、２つのエラー訂正ブロックを有する媒体が要求される。一つのディスク型媒体にエラー訂正ブロックＡを含むＲＵＢ  Ａが記録される領域Ａ、エラー訂正ブロックＢを含むＲＵＢ  Ｂが記録される領域ＢによってＡＤＩＰ（アドレスインプレグルーブ）と呼ばれるウォッブリングされたグルーブによって表現されるアドレス情報を２つの領域ＲＵＢ  Ａ、ＲＵＢ  Ｂに関連して定義する必要性が生じる。システムの性能や効率的な使用のために、前記のアドレス情報は記録可能な領域に、たとえ２つの異なるＲＵＢを有するディスク型媒体としても、２つの領域に記録されたアドレスを再生する方法は同じであることが望ましい。
【０００９】
特許文献１及び２では、ディスク型情報保存媒体において、アドレス情報を記録させた記録装置及び記録方法と、プレグルーブとしてトラックがウォッブリングされたディスクについてのＡＤＩＰの構造とが詳細に記述されている。
【００１０】
図１Ａ及び図１Ｂに示されたような従来の技術によれば、一つのＲＵＢは、４９８個の記録フレームを含む。特許文献１では、一つのＲＵＢに対応するアドレス情報をウォッブリングされたグルーブで表す。一つのＲＵＢに対応するアドレス情報は、２つのアドレスブロック（ＡＢ：アドレスブロック）を有する。特許文献２では、一つのＲＵＢに対応するアドレス情報は３つのＡＢを有する。２つの従来の技術のＡＢは、同じＡＤＩＰ  ８３ビットより構成されている。但し、一つのＡＤＩＰビットを構成するウォッブルの数が異なるのみである。特許文献１で一つのＡＤＩＰビットは４２ウォッブルより構成されており、名目上のウォッブル長は１３８チャンネルビットに該当する。特許文献２で一つのＡＤＩＰビットは５６ウォッブルより構成されており、名目上のウォッブル長は６９チャンネルビット長に該当する。２つの従来の技術では、ＡＤＩＰ  ８３ビットより構成されたＡＢをデコーディングして１５個のニブルよりなるアドレス情報を含んでいるエラー訂正コードを得る。前記のエラー訂正コードを再びデコーディングしてアドレス情報を得る。
【００１１】
一つのディスク型情報保存媒体にＲＵＢ  Ａが記録されるための領域ＡとＲＵＢ  Ｂが記録されるための領域Ｂとの２つの領域が存在することによって、２つの領域上でのアドレス情報の関係を規定する必要がある。
【００１２】
もし、ディスク型情報保存媒体の領域ごとに異なるＡＢを有せば、ＡＢをデコーディングする方法が相異なる。もし、光がディスク型情報保存媒体の任意の領域に照射されれば、何らの方法でＡＢをデコーディングしなければならないか分からないため、ＡＢをデコーディングする方法を選択するための付加情報や付加回路が必要となる。
【００１３】
一方、ＲＵＢは、エラー訂正のための物理的クラスタとその物理的クラスタのデータ保護のために所定の長さを有するリンク部分とを含む。前述した特許文献２には４９６記録フレームより構成された物理的クラスタと２記録フレームより構成されたリンク部分とを含むＲＵＢの構造について詳細に記述されている。リンク部分は、ランイン部分とランアウト部分とを含む。
【００１４】
一つのディスク型情報保存媒体にＲＵＢ  Ａにデータを記録するための領域ＡとＲＵＢ  Ｂにデータを記録するための領域Ｂの２つの領域が存在することによって、一種類のＲＵＢを利用してデータを記録する従来の技術におけるリンク部分の構造とは異なる構造が要求される。
【特許文献１】韓国特許公開第２００３−０００１５２０号公報
【特許文献２】韓国特許公開第２００３−００３０９７５号公報
【発明の開示】
【発明が解決しようとする課題】
【００１５】
本発明が解決しようとする技術的課題は、異なる種類のＲＵＢを利用してデータのディスク型情報保存媒体への記録において、さらに効率的に再生可能なアドレス情報記録装置、記録方法及びそのディスク型情報保存媒体を提供することである。
【課題を解決するための手段】
【００１６】
前記課題を達成するための本発明によるディスク型情報保存媒体は、第１ＲＵＢを利用してデータを記録する第１記録領域と、第２ＲＵＢを利用してデータを記録する第２記録領域とを含み、前記第１ＲＵＢに対応する第１アドレス情報はｎ（ｎは、１以上の整数）個のアドレスブロックを含み、前記第２ＲＵＢに対応する第２アドレス情報はｍ（ｍは、１以上の整数）個のアドレスブロックを含み、前記各アドレスブロックのデータ構造は同じであることを特徴とする。
【００１７】
前記課題を達成するための本発明によるアドレス情報記録装置は、第１ＲＵＢを利用してデータを記録する第１記録領域及び第２ＲＵＢを利用してデータを記録する第２記録領域を含むディスク型情報保存媒体にアドレス情報を記録する装置において、前記第１ＲＵＢに対応する第１アドレス情報及び前記第２ＲＵＢに対応する第２アドレス情報を生成するアドレス情報生成部と、前記第１アドレス情報及び前記第２アドレス情報を所定方式によって変調する変調部と、前記変調された前記第１アドレス情報及び前記第２アドレス情報をそれぞれ前記第１記録領域及び前記第２記録領域に記録するアドレス情報記録部とを含み、前記第１アドレス情報はｎ（ｎは、１以上の整数）個のアドレスブロックを含み、前記第２アドレス情報はｍ（ｍは１以上の整数）個のアドレスブロックを含み、前記各アドレスブロックのデータ構造は同じであることを特徴とする。
【００１８】
前記課題を達成するための本発明によるアドレス情報記録方法は、第１ＲＵＢを利用してデータを記録する第１記録領域及び第２ＲＵＢを利用してデータを記録する第２記録領域を含むディスク型情報保存媒体にアドレス情報を記録する方法において、前記第１ＲＵＢに対応する第１アドレス情報及び前記第２ＲＵＢに対応する第２アドレス情報を生成する段階と、前記第１アドレス情報及び前記第２アドレス情報を所定方式によって変調する段階と、前記変調された前記第１アドレス情報及び前記第２アドレス情報をそれぞれ前記第１記録領域及び前記第２記録領域に記録する段階とを含み、前記第１アドレス情報はｎ（ｎは、１以上の整数）個のアドレスブロックを含み、前記第２アドレス情報はｍ（ｍは、１以上の整数）個のアドレスブロックを含み、前記各アドレスブロックのデータ構造は同じであることを特徴とする。
【発明の効果】
【００１９】
本発明によれば、ディスク型情報保存媒体に異なる種類のＲＵＢを利用してデータが記録されても異なる種類のＲＵＢにそれぞれ対応するアドレス情報の構造を互いに同じにすることによって、単一の方法を利用してアドレス情報を再生しうる。
【発明を実施するための最良の形態】
【００２０】
以下、添付された図面を参照して本発明による望ましい実施例を詳細に説明する。
【００２１】
本発明は、異なるＲＵＢを利用してデータが記録される２つの領域Ａ及びＢで、アドレス情報を含んでいるＡＢの構造を同じにする。したがって、一つのアドレス再生方法で媒体の全領域にわたってアドレスを再生することができて、異なるＲＵＢによるアドレス再生方法におけるシステムの性能低下を防止しうる。すなわち、ＲＵＢ内に存在するＡＢの数のみが各領域で異なり、全体記録可能な領域でＡＢの構造は同じである。
【００２２】
図２は、本発明の一実施例によるディスク型情報保存媒体１００を示す図である。情報保存媒体１００は、ＲＵＢ  Ａが記録された領域ＡとＲＵＢ  Ｂが記録された領域Ｂとを含む。ユーザデータを記録するためのＲＵＢ  Ｂは、Ｍ個の記録フレームを含む。ＲＵＢ  Ｂに対応するアドレス情報は、ｍ個のＡＢを含む。ディスク管理情報を記録するためのＲＵＢ  Ａは、Ｎ個の記録フレームを含む。ＲＵＢ  Ａに対応するアドレス情報は、ｎ個のＡＢを含む。本実施例によるアドレス情報は、ウォッブリングされたグルーブを利用してディスク型情報保存媒体１００に記録される。
【００２３】
ＲＵＢ  ＡとＲＵＢ  Ｂとに対応するアドレス情報を構成するそれぞれのＡＢのデータ構造は同じである。以下では、本発明によるアドレス情報の構造についての２つの実施例をさらに詳細に説明する。
【００２４】
（第１実施例）
図３は、本発明の第１実施例によるアドレス情報の構造を示す図である。本実施例によるＲＵＢ  Ａは２４９記録フレームを含み、ＲＵＢ  Ｂは４９８記録フレームを含む。
【００２５】
ＲＵＢ  Ｂは、物理的なクラスタのための４９６記録フレームとリンキングのための２つの記録フレームとを含む。４９６記録フレームは１６個のアドレス単位に分けられるが、一つのアドレス単位は３１記録フレームを含む。ＲＵＢ  Ａは、物理的クラスタのための２４８記録フレームとリンキングのための一つの記録フレームを含むか、または物理的クラスタのための２４７記録フレームとリンキングのための２つの記録フレームとを含むように構成されうる。前者の場合、２４８記録フレームは８個のアドレス単位に分けられ、一つのアドレス単位は３１記録フレームであってＲＵＢ  Ｂのアドレス単位と同じである。後者の場合、２４７記録フレームは１３個のアドレス単位に分けられ、一つのアドレス単位は１９個の記録フレームを含む。
【００２６】
図３を再び参照するに、ＲＵＢ  Ａに対応するアドレス情報は、ＡＢ１ないしＡＢｋのｋ個のＡＢを、ＲＵＢ  Ｂに対応するアドレス情報は、ＡＢ１ないしＡＢ２ｋの２ｋ個のＡＢを含む。ＡＢ１ないしＡＢｋ及びＡＢ１ないしＡＢ２ｋはいずれもα個のＡＤＩＰビットより構成される。一つのＡＤＩＰビットは、β個のウォッブル長に相当し、一つのウォッブル長はγ個のチャンネルビットに相当する。
【００２７】
一つのＲＵＢ内のＡＢの数ｋの値と関連したα、β、γの値の一例を表１に表した。
【００２８】
【表１】
2005135577.tif 000003
ｋ＝１及びｋ＝２の場合、４２個のウォッブルに該当する一つのＡＤＩＰビットに対してデータビットとシンクビットとを区別する方法については、前述した特許文献１に詳細に記載されている。ｋ＝３の場合、５６個のウォッブルに該当する一つのＡＤＩＰビットに対してデータビットとシンクビットとを区別する方法については、前述した特許文献２に詳細に記載されている。
【００２９】
（第２実施例）
図４は、本発明の第２実施例によるアドレス情報の構造を示す図である。本実施例によるＲＵＢ  Ａは２５０記録フレームを含み、ＲＵＢ  Ｂは５００記録フレームを含む。前述した実施例１とは別途に、一つのＡＢは８３ＡＤＩＰビット以外に保留された所定のウォッブルを含む。
【００３０】
図４を再び参照するに、ＲＵＢ  Ｂは、物理的クラスタのための４９６記録フレームとリンキングのための４個の記録フレームとを含む。４９６記録フレームは１６個のアドレス単位に分けられるが、一つのアドレス単位は３１記録フレームを含む。ＲＵＢ  Ａは、物理的クラスタのための２４８記録フレームとリンキングのための２個の記録フレームとを含む。２４８記録フレームは、８個のアドレス単位に分けられるが、一つのアドレス単位は３１記録フレームであってＲＵＢ  Ｂではアドレス単位と同じである。
【００３１】
図４に示されたように、ＲＵＢ  Ｂに対応するアドレス情報は、ＡＢ１ないしＡＢ２ｋの２ｋ個のＡＢを含む。ＡＢ１ないしＡＢｋ及びＡＢ１ないしＡＢ２ｋはいずれもα個のＡＤＩＰビットと保留された所定のウォッブルとを含んで構成される。一つのＡＤＩＰビットは、β個のウォッブル長に相当し、一つのウォッブル長はγ個のチャンネルビットに相当する。
【００３２】
一つのＲＵＢ内のＡＢの数ｋの値と関連したα、β、γの値の一例は、前述した表１と同じであり、保留された所定のウォッブルの数の一例は、表２の通りである。
【００３３】
【表２】
2005135577.tif 000004
Ｋ＝１及びＫ＝２の場合、それぞれのアドレスブロックは８３ＡＤＩＰビットと保留された１４ウォッブルとを有する。
【００３４】
ｋ＝３の場合、ＲＵＢ  Ａには３個のアドレスブロックが、ＲＵＢ  Ｂには６個のアドレスブロックが保存されうる。この時、ＲＵＢ  Ａでの全体保留されたウォッブル数は、１記録フレーム長に該当する５６ウォッブルであるが、これは３個のアドレスブロックに１８個、１９個及び１９個のように分配されうる。ＲＵＢ  Ｂでも、これと同様に、６個のアドレスブロックに１８個、１９個、１９個、１８個、１９個及び１９個のように分配されうる。
【００３５】
ｋ＝１及びｋ＝２の場合、４２個のウォッブルに該当する一つのＡＤＩＰビットに対して、データビットとシンクビットとを区別する方法については、前述した特許文献１に詳細に記載されている。
【００３６】
ｋ＝３の場合、５６個のウォッブルに該当する一つのＡＤＩＰビットに対して、データビットとシンクビットとを区別する方法については、前述した特許文献２に詳細に記載されている。
【００３７】
以下では、本発明の一実施例によるＲＵＢの構造について説明する。本発明の一実施例では、ディスク型情報保存媒体にＲＵＢ  Ａ及びＲＵＢ
Ｂの２つのＲＵＢを利用してデータを記録する場合、ＲＵＢ  Ａに含まれたリンク部分の長さとＲＵＢ  Ｂに含まれたリンク部分の長さとの比は、領域ＲＵＢ  Ａに含まれた物理的クラスタＡの長さとＲＵＢ  Ｂに含まれた物理的クラスタＢの長さとの比と同じにする。
【００３８】
本発明の一実施例によれば、ＲＵＢ  Ａは３２ＫＢのＥＣＣブロック、ＲＵＢ  Ｂは６４ＫＢのＥＣＣブロック、ＲＵＢ  Ａにデータが記録される領域Ａは、ディスク型情報保存媒体１００の内周に位置するか、またはリードイン領域（または内側領域）であり、ＲＵＢ  Ｂにデータが記録される領域Ｂは領域Ａの次に位置する。本実施例で、領域Ａはリードイン領域（または内側領域）に該当し、領域Ｂはデータ領域及びリードアウト領域（または外側領域）に該当する。すなわち、本発明の一実施例によるディスク型情報保存媒体１００のリードイン領域（または内側領域）には３２ＫＢのＥＣＣブロック単位でデータが記録され、その他の領域には６４ＫＢのＥＣＣブロック単位でデータが記録される。
【００３９】
以下では、本発明によるＲＵＢ  Ａに含まれたリンク部分とＲＵＢ  Ｂに含まれたリンク部分との構造についての２つの実施例をさらに詳細に説明する。
【００４０】
（第３実施例）
図５は、本発明の第３実施例によってＲＵＢ  Ａの構造を示す図であり、図６は、本発明の第１実施例によってＲＵＢ  Ｂの構造を示す図である。本発明の第１実施例によれば、ＲＵＢ  Ａのリンク部分は１記録フレーム長であり、ＲＵＢ  Ｂのリンク部分は２記録フレーム長を有する。
【００４１】
図５に示されたＲＵＢ  Ａは、物理的クラスタのための２４８記録フレームとリンキングのための１つの記録フレームとを含む。２４８記録フレームは、８個のアドレス単位に分けられ、一つのアドレス単位は３１記録フレームを含んでＲＵＢ  Ｂのアドレス単位と同じである。図６に示されたＲＵＢ  Ｂは、物理的クラスタのための４９６記録フレームとリンキングのための２つの記録フレームとを含む。４９６記録フレームは、１６個のアドレス単位に分けられるが、一つのアドレス単位は３１記録フレームを含む。
【００４２】
図５及び図６にそれぞれ示されたＲＵＢ  Ａ及びＲＵＢ  Ｂに対応するアドレス情報の構造は、図３及び図４に示された構造と同じである。但し、図５に示されたＲＵＢ  Ａに対応するアドレス情報は、ＡＢ１及びＡＢ２の２つのアドレスブロックを含み、図６に示されたＲＵＢ  Ｂに対応するアドレス情報は、ＡＢ１ないしＡＢ４の４個のアドレスブロックを含む。
【００４３】
（第４実施例）
図７は、本発明の第２実施例によってＲＵＢ  Ａの構造を示す図であり、図８は、本発明の第２実施例によってＲＵＢ  Ｂの構造を示す図である。本発明の第４実施例によれば、ＲＵＢ  Ａのリンク部分は２記録フレーム長を有し、ＲＵＢ  Ｂのリンク部分は４記録フレーム長を有する。
【００４４】
図７に示されたＲＵＢ  Ａは、物理的クラスタのための２４８記録フレームとリンキングのための２つの記録フレームとを含む。２４８記録フレームは、８個のアドレス単位に分けられ、一つのアドレス単位は３１記録フレームを含んでＲＵＢ  Ｂのアドレス単位と同じである。図８に示されたＲＵＢ  Ｂは、物理的クラスタのための４９６記録フレームとリンキングのための４個の記録フレームとを含む。４９６記録フレームは１６個のアドレス単位に分けられるが、一つのアドレス単位は３１記録フレームを含む。
【００４５】
図７及び図８に示されたＡＢは図５及び図６に示したＡＢと同様に、８３ＡＤＩＰビットを含む。一つのＡＤＩＰビットは、４２個のウォッブルより構成されている。また、一つのウォッブルの物理的な長さは６９チャンネルビットに該当する。図７及び図８にそれぞれ示されたアドレス情報は、保留ウォッブル部分を含む。保留ウォッブル部分は１４個のウォッブルに相当する長さを有する。したがって、保留ウォッブル部分のサイズは、ＲＵＢ  Ａの場合には２×１４個のウォッブルまたは２８×６９個のチャンネルビットまたは１記録フレームに該当し、ＲＵＢ  Ｂの場合には、４×１４個のウォッブルまたは５６×６９個のチャンネルビットまたは２記録フレームに該当する。
【００４６】
図９は、本発明の一実施例によるアドレス情報記録装置のブロック図である。本実施例によるアドレス情報記録装置は、ディスク型情報保存媒体１００にアドレス情報を記録する。ディスク型情報保存媒体１００及びアドレス情報は、前記の通りである。
【００４７】
図９を参照するに、本発明の一実施例によるアドレス情報記録装置は、アドレス発生部３１０、変調部３３０、アドレス記録部３５０及び制御部３７０を含む。アドレス発生部３１０は、同期信号、アドレスデータ及びアドレスデータのエラー訂正符号を含むアドレスを発生して変調部３３０に提供する。
【００４８】
変調部３３０は、アドレス発生部３１０から提供されたアドレスを所定方式によって変調し、変調されたアドレス信号をアドレス記録部３５０に提供する。アドレスを変調するために必要なキャリア信号が変調部３３０に入力される。変調方式の一例としては、ＭＳＫ（ミニマムシフトキーイング）があるが、これに限定していない。
【００４９】
アドレス記録部３５０は、変調されたアドレス信号を提供されて、その変調されたアドレス信号によってウォッブリングさせたグルーブをディスク型情報保存媒体１００に形成する。ディスク型情報保存媒体１００に記録されたアドレス情報は、図２ないし図４に示されたような構造を有する。
【００５０】
制御部３７０は、アドレス発生部３１０、変調部３３０及びアドレス記録部３５０の動作を制御する。
【００５１】
以上、本発明について幾つの望ましい実施例を中心に説明したが、当業者は、本発明の本質的な特性から離脱されない範囲内で変形された形態に具現されうることが分かる。したがって、本発明の保護範囲は、特許請求の範囲の技術的思想によって決定されなければならない。
【産業上の利用可能性】
【００５２】
本発明はディスク型情報保存媒体のアドレス情報記録及び再生分野に利用されうる。
【図面の簡単な説明】
【００５３】
【図１Ａ】従来の技術によるエラー訂正ブロックのレコーディングフレーム構造を示す図である。
【図１Ｂ】従来の技術によるエラー訂正ブロックのレコーディングフレーム構造を示す図である。
【図２】本発明の一実施例によるディスク型情報保存媒体を示す図である。
【図３】本発明の第１実施例によるアドレス情報の構造を示す図である。
【図４】本発明の第２実施例によるアドレス情報の構造を示す図である。
【図５】本発明の第１実施例によってＲＵＢ  Ａの構造を示す図である。
【図６】本発明の第１実施例によってＲＵＢ  Ｂの構造を示す図である。
【図７】本発明の第２実施例によってＲＵＢ  Ａの構造を示す図である。
【図８】本発明の第２実施例によってＲＵＢ  Ｂの構造を示す図である。
【図９】本発明の一実施例によるアドレス情報記録装置のブロック図である。
【符号の説明】
【００５４】
１００  情報保存媒体
３１０  アドレス発生部
３３０  変調部
３５０  アドレス記録部
３７０  制御部
【図１Ａ】
2005135577.tif 000005
【図１Ｂ】
2005135577.tif 000006
【図２】
2005135577.tif 000007
【図３】
2005135577.tif 000008
【図４】
2005135577.tif 000009
【図５】
2005135577.tif 000010
【図６】
2005135577.tif 000011
【図７】
2005135577.tif 000012
【図８】
2005135577.tif 000013
【図９】
2005135577.tif 000014